(57)【要約】【課題】１本のスクリューを１個の貯留室内に設け、後軸に投入口を、前軸に排出口を設け、投入口よりゴミを入れ、貯留室に貯留し満杯になったあと、排出口よりゴミを排出することができ、安価で簡易なスクリュー型塵芥貯留機を提出する。【解決手段】（イ）１本のスクリューを一定の方向に回転する。スクリューの下部に従って傾斜樋を設ける。傾斜樋の上部に貯留室を設ける。（ロ）ゴミを投入口より後軸に投入し、ゴミを前軸より前方へ排出口から排出する。（ハ）スクリューを後軸から前軸へ前上部に向かって傾斜し、後軸の片持部分を軸受に枢着し、前軸の自由端部分に前端軸面を設ける。（ニ）前端軸面と排出口蓋の間に空隙部分を設けることを特徴とする。【選択図】図１
2005104721.tif 000002
【特許請求の範囲】
【請求項１】
１本のスクリュー（１）を一定の方向に回転し、スクリュー（１）の下部に従って傾斜樋（２）を設け、傾斜樋（２）の上部に貯留室（３）を設け、
ゴミを投入口（４）より後部軸（５）に投入し、ゴミを前部軸（６）より前方へ排出口（７）から排出し、
スクリュー（１）を後部軸（５）から前部軸（６）へ前上部に向かって傾斜し、後部軸（５）の片持部分（８）を軸受（９）に枢着し、前部軸（６）の自由端部分（１０）に前端軸面（１１）を設け、前端軸面（１１）と排出口蓋（１２）の間に空隙部分（１３）を設けることを特徴とするスクリュー型塵芥貯留機。
【発明の詳細な説明】
【技術分野】
【０００１】  本発明は、スクリュー型塵芥貯留機に関するものである。
【背景技術】
【０００２】  従来のスクリュー型塵芥貯留機を、少なくとも２個の貯留室の前部貯留室と後部貯留室に構成する。前部貯留室の前部搬送装置に排出口を設け、後部貯留室の後部搬送装置に投入口を設ける。スクリューである搬送装置を別個の原動機で駆動する。
後部貯留室にゴミを投入し満量まで検出すると、後部原動機で後部搬送装置を駆動し、前部貯留室へゴミを移送する。前部貯留室にゴミを蓄積し満量にすると、前部搬送装置を起動し、ゴミを排出する。
【特許文献１】特許公報昭５８−１７０８３「塵芥処理装置の貯留槽内塵芥貯留方法」
【発明の開示】
【発明が解決しようとする課題】
【０００３】    従来、塵芥処理装置について、スクリュー型貯留機とドラム型貯留機の２つの種類を普及している。
（１）ドラム型貯留機について、１つの貯留室の円筒内面に螺旋状羽根を設ける。貯留室の後部に投入口を、前部に排出口を設け、駆動装置を１つに設ける。全体的な装置を簡潔で単純で低い原価にできる。
ドラムの回転によって円筒内面にゴミを転ばすが、ゴミを圧縮状態にして充填することはなく、ゴミの容量を稠密に多くすることはない。したがって逆にドラムの口径を大きくすることが必要であり、装置の設置空間も大きくなる。
（２）スクリュー型貯留機について、後部貯留室の投入口よりゴミを後部搬送装置で押出し、前部貯留室に圧縮し充填する。
したがってゴミの容量を稠密に多くできる。そのかわりに先述のように、前部貯留室と後部貯留室の２個、スクリュー搬送装置の２個、駆動装置の２個を構成することができるが、全体の装置を複雑にするので高い原価になる。
以上の２つの種類について比較すると、スクリュー型貯留機のゴミ貯留容量の方が効率的になっているが、装置の部品数も多く複雑になり、結局、装置の設置空間も大きくなっている。
したがって大型のスクリュー型貯留機についてはドラム型貯留機の方が経済的になっている。逆に小型のスクリュー型貯留機については、原価が高くなっている割に普及が多い。貯留容量の効率化が高いためであり、経済的な問題について課題になっている。
したがって、小型のスクリュー型貯留機の装置に対しては、従来の構造を削減した簡易で安価な構造が望まれている。
本発明は、これらの問題点を解決するためになされたものである。
【課題を解決するための手段】
【０００４】（イ）１本のスクリューを一定の方向に回転する。スクリューの下部に従って傾斜樋を設ける。傾斜樋の上部に貯留室を設ける。
（ロ）ゴミを投入口より後軸に投入し、ゴミを前軸より前方へ排出口から排出する。
（ハ）スクリューを後軸から前軸へ前上部に向かって傾斜し、後軸の片持部分を軸受に枢着し、前軸の自由端部分に前端軸面を設ける。
（ニ）前端軸面と排出口蓋の間に空隙部分を設けることを特徴とするスクリュー型塵芥貯留機。
【発明の効果】
【０００５】  従来の２軸のスクリュー型貯留機と本発明のスクリュー型貯留機を比較して、つぎの３つ特徴について発明の効果を大きくすることができる。
（イ）本発明の貯留機は原価が低い。
従来の２軸の貯留機に比較すると、貯留室の２室、スクリューの２個及び駆動装置などの構成部品が、数量も多く原価が非常に高い。
（ロ）本発明の貯留機は設置空間が経済的である。
従来の２軸の貯留機に比較すると、装置の高さが大きく設置空間が不経済になる。従来の投入装置を小さくするには、スクリューが長く必要になり原価が高くなる。
従来のスクリューの外径が約７００ｍｍと大きくなり、後部貯留室の後部スクリューと前部貯留室の前部スクリューが重なって構造が高くなっており、設置空間が大きい。
後部貯留室の投入口も高くなるので、投入口台が必要になっている。
（ハ）本発明の貯留機はゴミ貯留充填率が高い。
従来の２軸の貯留機に比較すると、後部貯留室の後部スクリュー（搬送装置）の回転によってゴミを押出し、前部貯留室に圧縮し充填するが、前部スクリューを回転しない。前部貯留室にゴミを満量で検出してから投入を停止し、前部スクリューを回転し始めて排出する。したがって２軸のスクリューを同時に回転しないので、ゴミを混合したり、細かく破砕することはない。
一方の本発明の貯留機に、１本のスクリューを下部より上部へ傾斜した１個の貯留室で構成する。また、投入口から投入するゴミをスクリューによって回転し押出し、排出口蓋の上部に押出し、ゴミを傾斜したスクリューの上部から落下し、下部に貯留する。
ゴミを投入しないでスクリューのみを回転する場合は、ゴミをスクリューの中に上方へ移送したり、逆にゴミを落下してスクリューの上に流したりして、ゴミを還流し、混入し、次第に破砕し貯留するので充填率は大きくなる。
【発明を実施するための最良の形態】
【０００６】  以下、本発明の実施の形態について実施例を説明する。図１に本発明の実施例のスクリュー型塵芥貯留機の側面図、図２に正面図を示す。
１本のスクリュー（１）を一定の方向に回転する。  スクリュー（１）に軸（１６）と螺旋状の羽根（１７）を構成する。軸（１６）に後部軸（５）と前部軸（６）に分ける。ゴミを投入口より後部軸（５）に投入し、ゴミを前部軸（６）より前方へ排出口（７）から排出する。
スクリュー（１）を後部軸（５）から前部軸（６）へ前上部に傾斜する。後部軸（５）の片持部分（８）を軸受（９）に貫通し、かつ枢着する。前部軸（６）の自由端部分（１０）に前端軸面（１１）を設ける。
前上方へ傾斜するスクリュー（１）の前端軸面（１１）と前下方へ傾斜する排出口蓋（１２）の間に大きな空隙部分（１３）を設ける。さらに排出口蓋（１２）の前下方へ傾斜する排出樋（１８）を設ける。
スクリュー（１）の下部に従って傾斜樋（２）を設ける。傾斜樋（２）の断面に羽根（１７）の外径を下板（１９）、左傾斜側板（２０）及び右傾斜側板（２１）で囲う。傾斜樋（２）の上部に貯留室（３）を設ける。
貯留室（３）に左側板（２２）、右側板（２３）、前板（２４）、後板（２５）、中板（２６）及び上板（２７）を設ける。
後板（２５）の下部に軸受（９）を設け、後板（２５）の上部に投入室（２８）を設ける。投入室（２８）の上部に投入口（４）を設け、投入口（４）の上に投入口蓋（２９）を手動で開閉する。投入室（２８）の前部に仕切室（３０）を設け、仕切室（３０）の前方に中板（２６）を設け、中板（２６）及び上板（２７）を貯留室（３）に設ける。
後部軸（５）の後端にモーター（３１）を取付け正転で回転する。貯留室（３）の上後部に満量検出器（３２）を設ける。
貯留室（３）の前板（２４）に排出口（７）を設け、排出口（７）の外側に排出口蓋（１２）を設ける。
排出口蓋（１２）の上部に蓋用軸（３３）を設ける。前板（２４）に蓋用ブラケット（３４）を設ける。蓋用軸（３３）を蓋用ブラケット（３４）に枢着し、蓋用軸（３３）に蓋用モーター（３５）を取付ける。蓋用モーター（３５）によって排出口蓋（１２）を上下に回転し開閉する。【０００７】  以上のような構成を使用するときは次のようになる。
（イ）ゴミを投入する場合は次のように使用する。
モーター（３１）を回転し、スクリュー（１）を正転にする。投入口蓋（２９）より開いて、ゴミを投入室（２８）に投入し、仕切室（３０）へ通って後部軸（５）の下部へを移送する。仕切室（３０）より前部軸（６）の前方へゴミを移送すると同時に、貯留室（３）の上部へもゴミを散乱する。
前部軸（６）の自由端部分（１０）よりゴミを移送し、閉鎖した排出口蓋（１２）にゴミを押出する。排出口蓋（１２）の上部から前板（２４）へゴミを上へ溜め、つぎにゴミを逆に後方へ落下する。
スクリュー（１）を逆に後下方へで傾斜するので、ゴミを後下部の中板（２６）へ落下し、貯留室（３）の下部から上部へゴミを次第に貯留する。
ゴミを投入しないでスクリュー（１）を回転する場合は、ゴミをスクリュー（１）の中に上方へ移送したり、逆にゴミを落下してスクリュー（１）の上に流したりして、ゴミを還流し、混入し、次第に破砕することになる。最終的に貯留室（３）の後部の上にゴミを破砕し満量まで貯留する。ゴミの満量を満量検出器（３２）で検知した場合はモーター（３１）を停止する。
（ロ）ゴミを排出する場合は次のように使用する。
塵芥配送車を貯留機に駐車すると、ゴミを排出口（７）より排出する場合に、まず排出口蓋（１２）を蓋用モーター（３５）で開き、スクリュー（１）を正転の方向へ回転し、ゴミを排出口蓋（１２）から排出樋（１８）へ排出し、塵芥配送車で回収する。
ゴミの排出を終わるとスクリュー（１）の回転を停止し、排出口蓋（１２）を閉鎖する。
【図面の簡単な説明】
【０００８】
【図１】本発明の実施例のスクリュー型塵芥貯留機の側面図を示す。
【図２】本発明の実施例のスクリュー型塵芥貯留機の正面図を示す。
【符号の説明】
【０００９】  １    スクリュー
２    傾斜樋
３    貯留室
４    投入口
５    後部軸
６    前部軸
７    排出口
８    片持部分
９    軸受
１０    自由端部分
１１    前端軸面
１２    排出口蓋
１３    空隙部分
【図１】
2005104721.tif 000003
【図２】
2005104721.tif 000004